(57)【要約】【課題】  不要な光に関する遮光性の向上を図る。【解決手段】  少なくとも一部が駆動環の内側に挿入されて駆動環に光軸方向へ移動可能に支持されると共に挿入孔を有する移動環と、少なくとも一部が移動環の内側に挿入されて駆動環に光軸方向へ移動可能に支持されると共に移動環に対して光軸方向へ移動可能かつ光軸回り方向へ回転可能とされた可動枠と、可動枠に支持され少なくとも一部が移動環の挿入孔に挿入された遮光部材とを設けた。  これにより移動環の内周面と可動枠の外周面との間に遮光部材の少なくとも一部が位置され、不要な光に関する遮光性の向上を図ることができる。【選択図】        図１４
2013228484.tif 000002
【特許請求の範囲】
【請求項１】
少なくとも一部が駆動環の内側に挿入されて前記駆動環に光軸方向へ移動可能に支持されると共に挿入孔を有する移動環と、
少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、
前記可動枠に支持され少なくとも一部が前記移動環の挿入孔に挿入された遮光部材とを備えた
レンズ鏡筒。
【請求項２】
前記遮光部材が前記可動枠に光軸回り方向へ回転自在に支持されると共に前記移動環に光軸回り方向への回転を規制された
請求項１に記載のレンズ鏡筒。
【請求項３】
前記遮光部材が周方向に延びる形状に形成され、
前記遮光部材に周方向に連続して少なくとも一つずつの遮光部と連結部が設けられ、
前記遮光部が前記挿入孔に挿入された
請求項１に記載のレンズ鏡筒。
【請求項４】
前記挿入孔の周方向における両側の開口縁が前記遮光部材の光軸回り方向への回転を規制する回転規制部として形成された
請求項３に記載のレンズ鏡筒。
【請求項５】
前記遮光部材が周方向に延びる形状に形成され、
前記遮光部材が内方へ撓むように弾性変形可能とされた
請求項１に記載のレンズ鏡筒。
【請求項６】
前記連結部の放射方向における幅が前記遮光部の放射方向における幅より小さくされた
請求項３に記載のレンズ鏡筒。
【請求項７】
前記遮光部にスリットが形成され、
前記遮光部におけるスリットの内側に設けられた内側部が弾性変形可能とされ、
前記内側部が弾性変形及び弾性復帰されて前記遮光部材が前記可動枠に外嵌状に支持されるようにした
請求項３に記載のレンズ鏡筒。
【請求項８】
前記スリットが周方向に延びる形状に形成された
請求項７に記載のレンズ鏡筒。
【請求項９】
前記遮光部材が前記可動枠の光軸方向における物体側の端部に支持された
請求項１に記載のレンズ鏡筒。
【請求項１０】
前記遮光部材における遮光部の外周面が前記駆動環の内周面に当接又は近接された
請求項３に記載のレンズ鏡筒。
【請求項１１】
前記遮光部材が環状に形成された
請求項１に記載のレンズ鏡筒。
【請求項１２】
前記遮光部材が周方向に延び周方向において両端を有する形状に形成された
請求項１に記載のレンズ鏡筒。
【請求項１３】
内部に光学系が配置されたレンズ鏡筒と前記光学系を介して取り込まれた光学像を電気的信号に変換する撮像素子とを備え、
前記レンズ鏡筒は、
少なくとも一部が駆動環の内側に挿入されて前記駆動環に光軸方向へ移動可能に支持されると共に挿入孔を有する移動環と、
少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、
前記可動枠に支持され少なくとも一部が前記移動環の挿入孔に挿入された遮光部材とを備えた
撮像装置。
【発明の詳細な説明】
【技術分野】
【０００１】
本技術はレンズ鏡筒及び撮像装置についての技術分野に関する。詳しくは、移動環の内側に挿入される可動枠に支持される遮光部材を設けて不要な光に関する遮光性の向上を図る技術分野に関する。
【背景技術】
【０００２】
ビデオカメラやスチルカメラ等の各種の撮像装置には、内部にレンズ等の各種の光学部品や光学素子が配置されたレンズ鏡筒が伸縮自在に設けられ、レンズ鏡筒が非撮影時に装置本体に収納され撮影時に装置本体から繰り出されてズーム倍率の変更等を行うことが可能な所謂沈胴タイプがある。
【０００３】
このような伸縮自在のレンズ鏡筒を設けることにより、非撮影時における小型化（薄型化）と撮影時における良好な光学性能の確保との両立を図ることが可能になる。
【０００４】
また、撮像装置にはレンズ鏡筒として設けられた交換レンズが装置本体に着脱可能とされたタイプもある。
【０００５】
このような交換レンズ式の撮像装置にあっては、交換レンズを撮影状況等に応じて取り換えることにより、所望の倍率や明るさの画像を撮影することが可能になり、撮影に関する使い勝手の向上を図ることができる。
【０００６】
上記のような撮像装置にあっては、レンズ鏡筒において、内部に向けて入射される光のうち不要な光のＣＣＤ（Charge Coupled Device）やＣＭＯＳ（Complementary Metal-Oxide Semiconductor）等の撮像素子への入射を抑制するために遮光部材が設けられたものがある（例えば、特許文献１参照）。
【０００７】
遮光部材によって撮像素子への不要な光の入射を抑制することにより、ゴーストやフレア等の不具合の発生を抑制して画質の向上を図ることができる。
【０００８】
特許文献１に記載されたレンズ鏡筒においては、レンズを保持する保持枠（レンズ枠）に円環状の遮光部材が取り付けられ、固定鏡筒と保持枠の間を通過して撮像素子へ向かおうとする不要な光を遮蔽するように構成されている。
【０００９】
【特許文献１】特開２００３−１４００１６号公報
【発明の開示】
【発明が解決しようとする課題】
【００１０】
ところが、特許文献１に記載されたレンズ鏡筒にあっては、保持枠に遮光部材が外嵌状に取り付けられ固定鏡筒の内周面と保持枠の外周面との間に遮光部材が位置されており、保持枠を固定鏡筒に対して円滑に移動させるためのクリアランスが遮光部材の外周面と固定鏡筒の内周面との間に存在する。
【００１１】
従って、遮光部材の外周面と固定鏡筒の内周面との間に存在するクリアランスを不要な光が通過してしまい、十分な遮光性を確保することができないおそれがある。
【００１２】
そこで、本技術レンズ鏡筒及び撮像装置は、上記した問題点を克服し、不要な光に関する遮光性の向上を図ることを課題とする。
【課題を解決するための手段】
【００１３】
第１に、レンズ鏡筒は、上記した課題を解決するために、少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えたものである。
【００１４】
従って、レンズ鏡筒にあっては、移動環の内周面と可動枠の外周面との間に遮光部材の少なくとも一部が位置される。
【００１５】
第２に、上記したレンズ鏡筒においては、前記遮光部材が前記可動枠に光軸回り方向へ回転自在に支持されると共に前記移動環に光軸回り方向への回転を規制されることが望ましい。
【００１６】
遮光部材が可動枠に光軸回り方向へ回転自在に支持されると共に移動環に光軸回り方向への回転を規制されることにより、遮光部材が移動環に回転を規制された状態で可動枠が遮光部材に対して回転される。
【００１７】
第３に、上記したレンズ鏡筒においては、前記遮光部材が周方向に延びる形状に形成され、前記遮光部材に周方向に連続して少なくとも一つずつの遮光部と連結部が設けられ、前記遮光部が前記挿入孔に挿入されることが望ましい。
【００１８】
遮光部材が周方向に延びる形状に形成され、遮光部材に周方向に連続して少なくとも一つずつの遮光部と連結部が設けられ、遮光部が挿入孔に挿入されることにより、移動環の内周面と可動枠の外周面との間のクリアランスに遮光部が位置される。
【００１９】
第４に、上記したレンズ鏡筒においては、前記挿入孔の周方向における両側の開口縁が前記遮光部材の光軸回り方向への回転を規制する回転規制部として形成されることが望ましい。
【００２０】
挿入孔の周方向における両側の開口縁が遮光部材の光軸回り方向への回転を規制する回転規制部として形成されることにより、遮光部が挿入孔に挿入されることにより遮光部材の回転が規制される。
【００２１】
第５に、上記したレンズ鏡筒においては、前記遮光部材が周方向に延びる形状に形成され、前記遮光部材が内方へ撓むように弾性変形可能とされることが望ましい。
【００２２】
遮光部材が周方向に延びる形状に形成され、遮光部材が内方へ撓むように弾性変形可能とされることにより、遮光部を挿入するための切欠を移動環に形成する必要がない。
【００２３】
第６に、上記したレンズ鏡筒においては、前記連結部の放射方向における幅が前記遮光部の放射方向における幅より小さくされることが望ましい。
【００２４】
連結部の放射方向における幅が遮光部の放射方向における幅より小さくされることにより、連結部が撓み易い。
【００２５】
第７に、上記したレンズ鏡筒においては、前記遮光部にスリットが形成され、前記遮光部におけるスリットの内側に設けられた内側部が弾性変形可能とされ、前記内側部が弾性変形及び弾性復帰されて前記遮光部材が前記可動枠に外嵌状に支持されることが望ましい。
【００２６】
遮光部にスリットが形成され、遮光部におけるスリットの内側に設けられた内側部が弾性変形可能とされ、内側部が弾性変形及び弾性復帰されて遮光部材が可動枠に外嵌状に支持されることにより、駆動環に遮光部との干渉を回避するための凹部や孔を形成する必要がない。
【００２７】
第８に、上記したレンズ鏡筒においては、前記スリットが周方向に延びる形状に形成されることが望ましい。
【００２８】
スリットが周方向に延びる形状に形成されることにより、内側部ｃを放射方向へ弾性変形させ易くなる。
【００２９】
第９に、上記したレンズ鏡筒においては、前記遮光部材が前記可動枠の光軸方向における物体側の端部に支持されることが望ましい。
【００３０】
遮光部材が可動枠の光軸方向における物体側の端部に支持されることにより、保持筒部に挿入された遮光部材を可動枠の被写体側まで挿入する必要がない。
【００３１】
第１０に、上記したレンズ鏡筒においては、前記遮光部材における遮光部の外周面が前記駆動環の内周面に当接又は近接されることが望ましい。
【００３２】
遮光部材における遮光部の外周面が駆動環の内周面に当接又は近接されることにより、遮光部によって駆動環と移動環の間に形成されたクリアランスを通過しようとする不要な光が遮蔽される。
【００３３】
第１１に、上記したレンズ鏡筒においては、前記遮光部材が環状に形成されることが望ましい。
【００３４】
遮光部材が環状に形成されることにより、周方向における全周の任意の位置で遮光することが可能になる。
【００３５】
第１２に、上記したレンズ鏡筒においては、前記遮光部材が周方向に延び周方向において両端を有する形状に形成されることが望ましい。
【００３６】
遮光部材が周方向に延び周方向において両端を有する形状に形成されることにより、全体を内側に変位するように撓め易くなる。
【００３７】
撮像装置は、上記した課題を解決するために、内部に光学系が配置されたレンズ鏡筒と前記光学系を介して取り込まれた光学像を電気的信号に変換する撮像素子とを備え、前記レンズ鏡筒は、少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えたものである。
【００３８】
従って、撮像装置にあっては、移動環の内周面と可動枠の外周面との間に遮光部材の少なくとも一部が位置される。
【発明の効果】
【００３９】
本技術レンズ鏡筒は、少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えている。
【００４０】
従って、移動環の内周面と可動枠の外周面との間に遮光部材の少なくとも一部が位置され、不要な光に関する遮光性の向上を図ることができる。
【００４１】
請求項２に記載した技術にあっては、前記遮光部材が前記可動枠に光軸回り方向へ回転自在に支持されると共に前記移動環に光軸回り方向への回転を規制されている。
【００４２】
従って、遮光部材が移動環に回転を規制された状態で可動枠が遮光部材に対して回転され、可動枠の回転動作に支障を及ぼすことなく遮光部材による良好な遮光性を確保することができる。
【００４３】
請求項３に記載した技術にあっては、前記遮光部材が周方向に延びる形状に形成され、前記遮光部材に周方向に連続して少なくとも一つずつの遮光部と連結部が設けられ、前記遮光部が前記挿入孔に挿入されている。
【００４４】
従って、移動環の内周面と可動枠の外周面との間のクリアランスに遮光部が位置され、良好な遮光性を確保することができる。
【００４５】
請求項４に記載した技術にあっては、前記挿入孔の周方向における両側の開口縁が前記遮光部材の光軸回り方向への回転を規制する回転規制部として形成されている。
【００４６】
従って、遮光部が挿入孔に挿入されることにより遮光部材の回転が規制されるため、別に遮光部材の回転を規制する専用の規制部を必要とせず、回転の規制機構を部品点数の増加を伴うことなく簡素な構造によって構成することができる。
【００４７】
請求項５に記載した技術にあっては、前記遮光部材が周方向に延びる形状に形成され、前記遮光部材が内方へ撓むように弾性変形可能とされている。
【００４８】
従って、遮光部を挿入するための切欠を移動環に形成する必要がなく、移動環と可動枠の間に切欠を形成したときの隙間が生じることがなく、不要な光が撮像素子に入射され難く、遮光性の向上を図ることができる。
【００４９】
請求項６に記載した技術にあっては、前記連結部の放射方向における幅が前記遮光部の放射方向における幅より小さくされている。
【００５０】
従って、連結部が撓み易く、遮光部材の移動環に対する組付性の向上を図ることができる。
【００５１】
請求項７に記載した技術にあっては、前記遮光部にスリットが形成され、前記遮光部におけるスリットの内側に設けられた内側部が弾性変形可能とされ、前記内側部が弾性変形及び弾性復帰されて前記遮光部材が前記可動枠に外嵌状に支持されるようにしている。
【００５２】
従って、駆動環に遮光部との干渉を回避するための凹部や孔を形成する必要がなく、駆動環の内周面と遮光部の外周面との間に凹部や孔による隙間が生じることがなく、不要な光が撮像素子へ向けて入射され難く、遮光性の向上を図ることができる。
【００５３】
請求項８に記載した技術にあっては、前記スリットが周方向に延びる形状に形成されている。
【００５４】
従って、内側部を放射方向へ弾性変形させ易く、遮光部材の可動枠に対する組付を一層容易に行うことができる。
【００５５】
請求項９に記載した技術にあっては、前記遮光部材が前記可動枠の光軸方向における物体側の端部に支持されている。
【００５６】
従って、遮光部材を可動枠の被写体側まで挿入する必要がなく、遮光部材の可動枠に対する組付を容易に行うことができる。
【００５７】
請求項１０に記載した技術にあっては、前記遮光部材における遮光部の外周面が前記駆動環の内周面に当接又は近接されている。
【００５８】
従って、遮光部によって駆動環と移動環の間に形成されたクリアランスを通過しようとする不要な光が遮蔽され、不要な光に関する遮光性の一層の向上を図ることができる。
【００５９】
請求項１１に記載した技術にあっては、前記遮光部材が環状に形成されている。
【００６０】
従って、周方向における全周の任意の位置で遮光することが可能であり、高い遮光性を確保することができる。
【００６１】
請求項１２に記載した技術にあっては、前記遮光部材が周方向に延び周方向において両端を有する形状に形成されている。
【００６２】
従って、全体を内側に変位するように撓め易くなり、移動環に対する組付性の一層の向上を図ることができる。
【００６３】
本技術撮像装置は、内部に光学系が配置されたレンズ鏡筒と前記光学系を介して取り込まれた光学像を電気的信号に変換する撮像素子とを備え、前記レンズ鏡筒は、少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えている。
【００６４】
従って、移動環の内周面と可動枠の外周面との間に遮光部材の少なくとも一部が位置され、不要な光に関する遮光性の向上を図ることができる。
【発明を実施するための最良の形態】
【００６５】
以下に、本技術を実施するための最良の形態を添付図面に従って説明する。
【００６６】
以下に示した最良の形態は、本技術撮像装置をスチルカメラに適用し、本技術レンズ鏡筒をこのスチルカメラの交換レンズとして設けられたレンズ鏡筒に適用したものである。
【００６７】
尚、本技術の適用範囲はスチルカメラ及びスチルカメラの交換レンズとして設けられたレンズ鏡筒に限られることはなく、例えば、ビデオカメラや他の機器に組み込まれる各種の撮像装置及びこれらの撮像装置に設けられる各種のレンズ鏡筒に広く適用することができる。
【００６８】
また、レンズ鏡筒は交換レンズに限られることはなく、伸縮自在に設けられた沈胴タイプや撮像装置の内部に配置されたタイプにも広く適用することができる。撮像装置においても、レンズ鏡筒が伸縮自在に設けられた沈胴タイプや内部にレンズ鏡筒が配置されたタイプにも広く適用することができる。
【００６９】
以下の説明にあっては、スチルカメラの撮影時において撮影者から見た方向で前後上下左右の方向を示すものとする。従って、被写体側が前方となり、撮影者側が後方となる。
【００７０】
尚、以下に示す前後上下左右の方向は説明の便宜上のものであり、本技術の実施に関しては、これらの方向に限定されることはない。
【００７１】
［撮像装置の構成］
撮像装置１は装置本体２とレンズ鏡筒（交換レンズ）３によって構成されている（図１参照）。尚、装置本体２の内部にレンズ鏡筒が組み込まれたタイプや沈胴タイプの撮像装置においては、撮像装置がレンズ鏡筒を含む装置本体のみによって構成される。
【００７２】
装置本体２は筐体４の内外に所要の各部が配置されて成る。
【００７３】
筐体４の上面には各種の入力操作部４ａ、４ａ、・・・が配置されている。入力操作部４ａ、４ａ、・・・としては、例えば、電源釦、シャッター釦、モード切替摘子等が設けられている。
【００７４】
筐体４の後面には図示しない各種の入力操作部とディスプレイが配置されている。入力操作部としては、例えば、ズームスイッチやモード切替摘子等が設けられている。
【００７５】
筐体４の前面には円形状の開口４ｂが形成され、開口４ｂの周囲の部分がレンズ鏡筒３を取り付けるためのマウント部４ｃとして設けられている。
【００７６】
筐体４の内部にはＣＣＤ（Charge Coupled Device）やＣＭＯＳ（Complementary Metal-Oxide Semiconductor）等の撮像素子５が配置され、撮像素子５は開口４ｂの後方に位置されている。
【００７７】
［レンズ鏡筒の構成］
レンズ鏡筒３は外筒６を有し、外筒６の内部に所要の各部が配置されて成る。外筒６の前端部には撮影レンズ７が取り付けられている。
【００７８】
外筒６の内部には撮影レンズ７を含むレンズユニット８が配置されている。レンズユニット８は駆動環９と移動環１０と可動枠１１を有している（図２乃至図５参照）。
【００７９】
駆動環９は軸方向が前後方向にされた略円筒状に形成され、周方向に離隔して位置された第１のカム溝９ａ、９ａ、９ａと周方向に離隔して位置された第２のカム溝９ｂ、９ｂ、９ｂとを有している。第２のカム溝９ｂ、９ｂ、９ｂはそれぞれ第１のカム溝９ａ、９ａ、９ａの後側に形成されている。
【００８０】
駆動環９はレンズユニット８の一部を構成する図示しない固定環に対して光軸方向へ移動可能かつ光軸回り方向へ回転可能とされている。
【００８１】
移動環１０は軸方向が前後方向にされ略円筒状に形成された保持筒部１２と保持筒部１２の前端部から外方へ張り出され略円環状に形成されたフランジ部１３と保持筒部１２の後端部から内方へ張り出され略円環状に形成された連結面部１４と連結面部１４の内周部から後方へ突出された略円筒状の突筒部１５とから成る。
【００８２】
保持筒部１２には後端から後方へ突出された突部１２ａ、１２ａ、１２ａが周方向に等間隔に離隔して設けられ、突部１２ａ、１２ａ、１２ａにそれぞれ外方（放射方向）へ突出されたカムピン１２ｂ、１２ｂ、１２ｂが設けられている。
【００８３】
保持筒部１２には挿入孔１６、１６、１６が周方向に等間隔に離隔して形成されている。
【００８４】
移動環１０は保持筒部１２の外径が駆動環９の内径より僅かに小さくされている。
【００８５】
移動環１０には図示しないレンズ等の光学素子が保持されている。
【００８６】
移動環１０は保持筒部１２を含む部分が駆動環９の内部に挿入され、カムピン１２ｂ、１２ｂ、１２ｂがそれぞれ駆動環９の第２のカム溝９ｂ、９ｂ、９ｂに摺動自在に係合される。
【００８７】
移動環１０は、光軸回り方向へ駆動環９が回転されると、カムピン１２ｂ、１２ｂ、１２ｂがそれぞれ第２のカム溝９ｂ、９ｂ、９ｂに摺動されて図示しないガイドに案内されて駆動環９に対して前後方向（光軸方向）へ移動される。また、移動環１０は、駆動環９が光軸方向へ移動されると、駆動環９に伴って前後方向へ移動される。
【００８８】
可動枠１１は軸方向が前後方向にされた短い略円筒状に形成された筒状部１７を有している。筒状部１７にはそれぞれ外方（放射方向）へ突出された係合ピン１７ａ、１７ａ、１７ａが周方向に等間隔に離隔して設けられている。
【００８９】
可動枠１１の前端部には係合突部１８、１８、１８が周方向に等間隔に離隔して設けられている。係合突部１８は前後に延びる基部１８ａと基部１８ａの前端部から外方へ突出された係止部１８ｂとから成る（図６参照）。係止部１８ｂの先端部には外方へ行くに従って後方へ変位する傾斜面１８ｃが形成されている（図２乃至図５参照）。
【００９０】
可動枠１１は外径が移動環１０の保持筒部１２の内径より僅かに小さくされている。
【００９１】
可動枠１１には図示しないレンズ等の光学素子が保持されている。
【００９２】
可動枠１１は移動環１０の保持筒部１２の内部に挿入され（図３、図４、図５及び図８参照）、係合ピン１７ａ、１７ａ、１７ａがそれぞれ移動環１０の挿入孔１６、１６、１６を挿通されて駆動環９の第１のカム溝９ａ、９ａ、９ａに摺動自在に係合される。
【００９３】
可動枠１１は、駆動環９が回転されると、係合ピン１７ａ、１７ａ、１７ａがそれぞれ第１のカム溝９ａ、９ａ、９ａに摺動されて図示しない直進ガイドに案内されて前後方向へ移動される。また、可動枠１１は、駆動環９が光軸方向へ移動されると、駆動環９に伴って前後方向へ移動される。
【００９４】
可動枠１１は図示しない駆動部材によって移動環１０に対して光軸回り方向へ回転される。
【００９５】
可動枠１１には遮光部材１９が光軸回り方向へ回転自在に支持される。遮光部材１９は略円環状に形成され、連結部２０、２０、２０と遮光部２１、２１、２１が交互に連続して成る（図２及び図７参照）。
【００９６】
連結部２０は細幅の円弧状に形成されている。
【００９７】
遮光部２１は内周部の周方向における両端がそれぞれ連結部２０、２０に連続され、連結部２０より放射方向における幅が大きくされている。従って、連結部２０の放射方向における幅は遮光部２１の放射方向における幅より小さくされている。遮光部２１の内周部は周方向における両端部を除いて他の部分より厚みが薄くされた薄肉摺動部２１ａとして設けられている（図９参照）。
【００９８】
遮光部２１には周方向に延びる円弧状のスリット２０ｂが形成されている（図７及び図９参照）。遮光部２１はスリット２０ｂによってスリット２０ｂの内側の部分である内側部２０ｃがその外側の部分である外側部２０ｄに対して放射方向へ弾性変形可能とされている。また、遮光部２１はスリット２０ｂによって外側部２０ｄが内側部２０ｃに対して放射方向へ弾性変形可能とされている。
【００９９】
遮光部材１９は遮光部２１、２１、２１の薄肉摺動部２１ａ、２１ａ、２１ａがそれぞれ係合突部１８、１８、１８に係合され可動枠１１に外嵌状に支持される。遮光部材１９は薄肉摺動部２１ａ、２１ａ、２１ａがそれぞれ係合突部１８、１８、１８に摺動されることにより可動枠１１に光軸回り方向へ回転自在に支持される。
【０１００】
遮光部材１９は連結部２０、２０、２０の外周を結ぶ外径が移動環１０の保持筒部１２の内径と略同じにされている。
【０１０１】
遮光部材１９は可動枠１１とともに移動環１０の保持筒部１２に挿入され、遮光部２１、２１、２１がそれぞれ保持筒部１２の挿入孔１６、１６、１６に挿入される。遮光部２１、２１、２１の周方向における長さはそれぞれ挿入孔１６、１６、１６の周方向における幅と略同じにされている。
【０１０２】
遮光部材１９は、駆動環９が回転されると、可動枠１１と一体になって前後方向へ移動され、可動枠１１が回転されたときに移動環１０によって回転が規制される。従って、遮光部材１９は可動枠１１が回転されたときに可動枠１１に対して相対的に回転される。
【０１０３】
遮光部材１９は遮光部２１、２１、２１が挿入孔１６、１６、１６の周方向における両側の開口縁に接することにより光軸回り方向への回転が規制される。従って、挿入孔１６、１６、１６の周方向における両側の開口縁はそれぞれ回転規制部１６ａ、１６ａ、・・・として形成されている。
【０１０４】
［レンズ鏡筒の各部の組付］
以下に、レンズ鏡筒３における駆動環９、移動環１０、可動枠１１及び遮光部材１９の組付について説明する。
【０１０５】
先ず、駆動環９に移動環１０を前方から挿入し、保持筒部１２のカムピン１２ｂ、１２ｂ、１２ｂをそれぞれ第２のカム溝９ｂ、９ｂ、９ｂに係合する。このとき保持筒部１２はカムピン１２ｂ、１２ｂ、１２ｂが取り外された状態で駆動環９に挿入され、挿入された状態においてカムピン１２ｂ、１２ｂ、１２ｂがそれぞれ第２のカム溝９ｂ、９ｂ、９ｂを挿通されて取り付けられそれぞれ第２のカム溝９ｂ、９ｂ、９ｂに係合される。
【０１０６】
次に、移動環１０の保持筒部１２に可動枠１１を前方から挿入し、係合ピン１７ａ、１７ａ、１７ａを駆動環９の第１のカム溝９ａ、９ａ、９ａに係合する。このとき可動枠１１は係合ピン１７ａ、１７ａ、１７ａが取り外された状態で移動環１０に挿入され、挿入された状態において係合ピン１７ａ、１７ａ、１７ａがそれぞれ第１のカム溝９ａ、９ａ、９ａ及び挿入孔１６、１６、１６を挿通されて取り付けられそれぞれ第１のカム溝９ａ、９ａ、９ａに係合される。
【０１０７】
次いで、遮光部材１９を移動環１０の保持筒部１２に前方から挿入する。このとき遮光部材１９を適宜に弾性変形させて撓ませながら保持筒部１２に挿入する（図１０参照）。例えば、遮光部２１、２１、２１を一つずつ又は二つ同時に内方へ撓ませるように弾性変形させ、遮光部２１、２１、２１を保持筒部１２の挿入孔１６、１６、１６に挿入して遮光部材１９の全体を保持筒部１２に挿入する。
【０１０８】
上記のように遮光部材１９は周方向に延びる形状に形成され、内方へ撓むように弾性変形可能とされているため、遮光部２１、２１、２１を挿入するための切欠を移動環１０の前端部に形成する必要がない。
【０１０９】
従って、移動環１０と可動枠１１の間に切欠を形成したときの隙間が生じることがなく、不要な光が撮像素子５に入射され難く、遮光性の向上を図ることができる。
【０１１０】
また、遮光部材１９は連結部２０、２０、２０の放射方向における幅が遮光部２１、２１、２１の放射方向における幅より小さくされているため、連結部２０、２０、２０が撓み易く、遮光部材１９の移動環１０に対する組付性の向上を図ることができる。
【０１１１】
次に、遮光部材１９の遮光部２１、２１、２１をそれぞれ保持筒部１２の挿入孔１６、１６、１６に挿入した状態において、遮光部材１９を可動枠１１に組み付ける。このとき遮光部２１、２１、２１は外周面が駆動環９の内周面に当接又は近接して位置されている。
【０１１２】
遮光部材１９の可動枠１１への組付は、遮光部２１を前側から係合突部１８の傾斜面１８ｃに押し付けることにより行うことができる（図１１乃至図１３参照）。
【０１１３】
遮光部２１が傾斜面１８ｃに押し付けられると、遮光部２１の内側部２１ｃが外側部２１ｄに近付くように弾性変形され（図１１参照）、薄肉摺動部２１ａが係合突部１８の係止部１８ｂに乗り上げる（図１２参照）。さらに、遮光部２１が係止部１８ｂを乗り越えると、内側部２１ｃが弾性復帰して係止部１８ｂの後側において薄肉摺動部２１ａが係合突部１８に係合される（図１３参照）。
【０１１４】
このような作業を全ての遮光部２１、２１、２１について行うことにより、遮光部２１、２１、２１がそれぞれ係合突部１８、１８、１８に係合されて遮光部材１９が可動枠１１に組み付けられる。
【０１１５】
遮光部材１９が可動枠１１に組み付けられた状態においては、薄肉摺動部２１ａ、２１ａ、２１ａがそれぞれ係合突部１８、１８、１８に摺動可能とされ、遮光部材１９が可動枠１１に回転自在に支持される。
【０１１６】
上記したように、遮光部材１９の可動枠１１に対する組付時に、遮光部材１９は遮光部２１、２１、２１の内側部２１ｃ、２１ｃ、２１ｃがそれぞれ弾性変形され外側部２１ｄ、２１ｄ、２１ｄが変形されないため、駆動環９に外側部２１ｄ、２１ｄ、２１ｄとの干渉を回避するための凹部や孔を形成する必要がない。
【０１１７】
従って、駆動環９の内周面と遮光部２１、２１、２１の外周面との間に凹部や孔による隙間が生じることがなく、不要な光が撮像素子５へ向けて入射され難く、遮光性の向上を図ることができる。
【０１１８】
また、遮光部材１９が可動枠１１の前端部（光軸方向における物体側の端部）に支持されるため、前方から保持筒部１２に挿入された遮光部材１９を可動枠１１の後端側まで挿入する必要がなく、遮光部材１９の可動枠１１に対する組付を容易に行うことができる。
【０１１９】
さらに、遮光部材１９のスリット２１ｂ、２１ｂ、２１ｂが周方向に延びる形状に形成されているため、内側部２１ｃ、２１ｃ、２１ｃを放射方向へ弾性変形させ易く、遮光部材１９の可動枠１１に対する組付を一層容易に行うことができる。
【０１２０】
［遮光部材による遮光］
上記のように構成されたレンズ鏡筒３においては、移動環１０と可動枠１１の間及び駆動環９と移動環１０の間にそれぞれ可動枠１１と移動環１０を円滑に光軸方向へ移動又は光軸回り方向へ回転させるためのクリアランスがそれぞれ存在する。従って、撮影時等に撮影等に関与しない不要な光がこれらのクリアランスを通過すると、通過した光が撮像素子５に入射され画質の低下を引き起こすおそれがある。
【０１２１】
しかしながら、レンズ鏡筒３においては、上記したように、遮光部材１９が設けられ遮光部２１、２１、２１がそれぞれ移動環１０の保持筒部１２に形成された挿入孔１６、１６、１６に挿入されている。
【０１２２】
従って、遮光部２１、２１、２１によって移動環１０と可動枠１１の間に形成されたクリアランスを通過しようとする不要な光（図１４に示す光Ａ）が遮蔽され、この不要な光の撮像素子５への入射が低減される。
【０１２３】
また、レンズ鏡筒３においては、遮光部材１９の遮光部２１、２１、２１の外周面が駆動環９の内周面に当接又は近接して位置されている。
【０１２４】
従って、遮光部２１、２１、２１によって駆動環９と移動環１０の間に形成されたクリアランスを通過しようとする不要な光（図１４に示す光Ｂ）が遮蔽され、この不要な光の撮像素子５への入射が低減される。
【０１２５】
尚、遮光部材１９は前後方向における厚みが薄い形状に形成されており、遮光部２１、２１、２１の外周面が駆動環９の内周面に接した場合においても、その接触面積が極めて小さく、遮光部２１、２１、２１と駆動環９の接触による可動枠１１の移動環１０に対する移動動作及び回転動作への影響が小さくされている。
【０１２６】
また、遮光部２１、２１、２１は、上記したように、外側部２１ｄ、２１ｄ、２１ｄが内側部２１ｃ、２１ｃ、２１ｃに近付く方向へ撓むことが可能である。
【０１２７】
従って、可動枠１１が移動環１０に対して移動又は回転されたときに遮光部２１、２１、２１の外周面が駆動環９の内周面に接した場合に、遮光部２１、２１、２１の外側部２１ｄ、２１ｄ、２１ｄが内側部２１ｃ、２１ｃ、２１ｃに近付く方向へ撓むことが可能であり、可動枠１１の円滑な動作を確保することができる。
【０１２８】
［その他］
上記には、環状に形成された遮光部材１９を例として示したが、遮光部材の形状は環状に限られることはなく、例えば、図１５に示すように遮光部材１９Ａのように、略円弧状等の周方向に延び周方向において両端を有する形状に形成されていてもよい。
【０１２９】
遮光部材１９に代えて遮光部材１９Ａのような周方向において両端を有する形状に形成されたタイプを用いることにより、全体を内側に変位するように撓め易くなり、移動環１０に対する組付性の一層の向上を図ることができる。
【０１３０】
また、遮光部材１９の場合と同様に、遮光部２１、２１、２１を挿入するための切欠を移動環１０の前端部に形成する必要がなく、移動環１０と可動枠１１の間に切欠を形成したときの隙間が生じることがなく、不要な光が撮像素子５に入射され難く、遮光性の向上を図ることができる。
【０１３１】
さらに、遮光部材１９Ａのスリット２１ｂ、２１ｂ、２１ｂが周方向に延びる形状に形成されているため、内側部２１ｃ、２１ｃ、２１ｃを放射方向へ弾性変形させ易く、遮光部材１９Ａの可動枠１１に対する組付を一層容易に行うことができる。
【０１３２】
［撮像装置の一実施形態］
図１６に、本技術撮像装置の一実施形態による交換レンズ式のデジタルカメラのブロック図を示す。
【０１３３】
撮像装置（デジタルカメラ）１は、撮像機能を担うカメラブロック３０と、撮影された画像信号のアナログ−デジタル変換等の信号処理を行うカメラ信号処理部３１と、画像信号の記録再生処理を行う画像処理部３２とを有している。また、撮像装置１は、撮影された画像等を表示するＬＣＤ（Liquid Crystal Display）等の表示部３３と、メモリーカード４０への画像信号の書込及び読出を行うＲ／Ｗ（リーダ／ライタ）３４と、撮像装置１の全体を制御するＣＰＵ（Central Processing Unit）３５と、ユーザーによって所要の操作が行われる各種の入力操作部４ａ、４ａ、・・・等によって構成される入力部３６と、カメラブロック３０に配置されたレンズやレンズ群等の光学素子３０ａの駆動を制御するレンズ駆動制御部３７とを備えている。
【０１３４】
カメラブロック３０は、例えば、レンズ鏡筒３に設けられ、レンズやレンズ群等の光学系３０ａを有している。
【０１３５】
カメラ信号処理部３１は、撮像素子５からの出力信号に対するデジタル信号への変換、ノイズ除去、画質補正、輝度・色差信号への変換等の各種の信号処理を行う。
【０１３６】
画像処理部３２は、所定の画像データーフォーマットに基づく画像信号の圧縮符号化・伸張復号化処理や解像度等のデーター仕様の変換処理等を行う。
【０１３７】
表示部３３はユーザーの入力部３６に対する操作状態や撮影した画像等の各種のデーターを表示する機能を有している。
【０１３８】
Ｒ／Ｗ３４は、画像処理部３２によって符号化された画像データーのメモリーカード４０への書込及びメモリーカード４０に記録された画像データーの読出を行う。
【０１３９】
ＣＰＵ３５は、撮像装置１に設けられた各回路ブロックを制御する制御処理部として機能し、入力部３６からの指示入力信号等に基づいて各回路ブロックを制御する。
【０１４０】
入力部３６はユーザーによる操作に応じた指示入力信号をＣＰＵ３５に対して出力する。
【０１４１】
レンズ駆動制御部３７は、ＣＰＵ３５からの制御信号に基づいて光学系３０ａの各レンズを駆動する図示しないモータ等を制御する。
【０１４２】
メモリーカード４０は、例えば、Ｒ／Ｗ３４に接続されたスロットに対して着脱可能な半導体メモリーである。
【０１４３】
以下に、撮像装置１における動作を説明する。
【０１４４】
撮影の待機状態では、ＣＰＵ３５による制御の下で、カメラブロック３０において撮影された画像信号が、カメラ信号処理部３１を介して表示部３３に出力され、カメラスルー画像として表示される。また、入力部３６からのズーミングのための指示入力信号が入力されると、ＣＰＵ３５がレンズ駆動制御部３７に制御信号を出力し、レンズ駆動制御部３７の制御に基づいて光学系３０ａの所定のレンズ又はレンズ群が移動される。
【０１４５】
入力部３６からの指示入力信号によりカメラブロック３０の図示しないシャッターが動作されると、撮影された画像信号がカメラ信号処理部３１から画像処理部３２に出力されて圧縮符号化処理され、所定のデーターフォーマットのデジタルデーターに変換される。変換されたデーターはＲ／Ｗ３４に出力され、メモリーカード４０に書き込まれる。
【０１４６】
フォーカシングは、例えば、入力部３６のシャッター釦４ａが半押しされた場合や記録（撮影）のために全押しされた場合等に、ＣＰＵ３５からの制御信号に基づいてレンズ駆動制御部３７が光学系３０ａの所定のレンズ又はレンズ群を移動させることにより行われる。
【０１４７】
メモリーカード４０に記録された画像データーを再生する場合には、入力部３６に対する操作に応じて、Ｒ／Ｗ３４によってメモリーカード４０から所定の画像データーが読み出され、画像処理部３２によって伸張復号化処理が行われた後に、再生画像信号が表示部３３に出力されて再生画像が表示される。
【０１４８】
［まとめ］
以上に記載した通り、撮像装置１にあっては、少なくとも一部が駆動環９の内側に挿入された移動環１０と、少なくとも一部が移動環１０の内側に挿入された可動枠１１と、可動枠１１に支持され少なくとも一部が移動環１０の挿入孔１６、１６、１６に挿入された遮光部材１９、１９Ａとが設けられている。
【０１４９】
従って、移動環１０の内周面と可動枠１１の外周面との間に遮光部材１９、１９Ａの少なくとも一部が位置され、不要な光に関する遮光性の向上を図ることができる。
【０１５０】
また、遮光部材１９、１９Ａが可動枠１１に光軸回り方向へ回転自在に支持されると共に移動環１０に光軸回り方向への回転を規制されている。
【０１５１】
従って、遮光部材１９、１９Ａが移動環１０に回転を規制された状態で可動枠１１が遮光部材１９、１９Ａに対して回転され、可動枠１１の回転動作に支障を及ぼすことなく遮光部材１９、１９Ａによる良好な遮光性を確保することができる。
【０１５２】
さらに、遮光部材１９、１９Ａが周方向に延びる形状に形成され、遮光部材１９、１９Ａに周方向に連続して少なくとも一つずつの遮光部２１、２１、２１と連結部２０、２０、２０が設けられ、遮光部２１、２１、２１が移動環１０の挿入孔１６、１６、１６にそれぞれ挿入されている。
【０１５３】
従って、遮光部２１、２１、２１が挿入孔１６、１６、１６にそれぞれ挿入されることにより、移動環１０の内周面と可動枠１１の外周面との間のクリアランスに遮光部２１、２１、２１が確実に位置され、良好な遮光性を確保することができる。
【０１５４】
さらにまた、移動環１０に形成された挿入孔１６、１６、１６の周方向における両側の開口縁が遮光部材１９、１９Ａの光軸回り方向における回転を規制する回転規制部１６ａ、１６ａ、・・・として形成されている。
【０１５５】
従って、遮光部材１９、１９Ａの遮光部２１、２１、２１がそれぞれ挿入孔１６、１６、１６に挿入されることにより遮光部材１９、１９Ａの回転が規制されるため、別に遮光部材１９、１９Ａの回転を規制する専用の規制部を必要とせず、回転の規制機構を部品点数の増加を伴うことなく簡素な構造によって構成することができる。
【０１５６】
また、レンズ鏡筒３にあっては、遮光部材１９、１９Ａにおける遮光部２１、２１、２１の外周面がそれぞれ駆動環９の内周面に当接又は近接して位置されている。
【０１５７】
従って、遮光部２１、２１、２１によって駆動環９と移動環１０の間に形成されたクリアランスを通過しようとする不要な光が遮蔽され、不要な光に関する遮光性の一層の向上を図ることができる。
【０１５８】
加えて、遮光部材１９が環状に形成されているため、周方向における全周の任意の位置で遮光することが可能であり、高い遮光性を確保することができる。
【０１５９】
［本技術］
本技術は、以下のような構成にすることもできる。
【０１６０】
（１）少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えたレンズ鏡筒。
【０１６１】
（２）前記遮光部材が前記可動枠に光軸回り方向へ回転自在に支持されると共に前記移動環に光軸回り方向への回転を規制された前記（１）に記載のレンズ鏡筒。
【０１６２】
（３）前記遮光部材が周方向に延びる形状に形成され、前記遮光部材に周方向に連続して少なくとも一つずつの遮光部と連結部が設けられ、前記遮光部が前記挿入孔に挿入された前記（１）又は前記（２）の何れかに記載のレンズ鏡筒。
【０１６３】
（４）前記挿入孔の周方向における両側の開口縁が前記遮光部材の光軸回り方向への回転を規制する回転規制部として形成された前記（３）に記載のレンズ鏡筒。
【０１６４】
（５）前記遮光部材が周方向に延びる形状に形成され、前記遮光部材が内方へ撓むように弾性変形可能とされた前記（１）から前記（４）の何れかに記載のレンズ鏡筒。
【０１６５】
（６）前記連結部の放射方向における幅が前記遮光部の放射方向における幅より小さくされた前記（３）に記載のレンズ鏡筒。
【０１６６】
（７）前記遮光部にスリットが形成され、前記遮光部におけるスリットの内側に設けられた内側部が弾性変形可能とされ、前記内側部が弾性変形及び弾性復帰されて前記遮光部材が前記可動枠に外嵌状に支持されるようにした前記（１）から前記（３）に記載のレンズ鏡筒。
【０１６７】
（８）前記スリットが周方向に延びる形状に形成された前記（７）に記載のレンズ鏡筒。
【０１６８】
（９）前記遮光部材が前記可動枠の光軸方向における物体側の端部に支持された前記（１）から前記（８）の何れかに記載のレンズ鏡筒。
【０１６９】
（１０）前記遮光部材における遮光部の外周面が前記駆動環の内周面に当接又は近接された前記（３）に記載のレンズ鏡筒。
【０１７０】
（１１）前記遮光部材が環状に形成された前記（１）から前記（１０）の何れかに記載のレンズ鏡筒。
【０１７１】
（１２）前記遮光部材が周方向に延び周方向において両端を有する形状に形成された前記（１）から前記（１０）の何れかに記載のレンズ鏡筒。
【０１７２】
（１３）内部に光学系が配置されたレンズ鏡筒と前記光学系を介して取り込まれた光学像を電気的信号に変換する撮像素子とを備え、前記レンズ鏡筒は、少なくとも一部が駆動環の内側に挿入されて前記駆動環に光軸方向へ移動可能に支持されると共に挿入孔を有する移動環と、少なくとも一部が前記移動環の内側に挿入されて前記駆動環に光軸方向へ移動可能に支持されると共に前記移動環に対して光軸方向へ移動可能かつ光軸回り方向へ回転可能とされた可動枠と、前記可動枠に支持され少なくとも一部が前記移動環の挿入孔に挿入された遮光部材とを備えた撮像装置。
【０１７３】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１７４】
【図１】図２乃至図１６と共に本技術の最良の形態を示すものであり、本図は、撮像装置の概略斜視図である。
【図２】レンズ鏡筒の内部構造の一部を示す概略分解斜視図である。
【図３】レンズ鏡筒の内部構造の一部を示す概略拡大斜視図である。
【図４】図３とは異なる方向から見た状態でレンズ鏡筒の内部構造の一部を示す概略拡大斜視図である。
【図５】レンズ鏡筒の内部構造の一部を示す概略拡大正面図である。
【図６】可動枠に設けられた係合突部の拡大斜視図である。
【図７】遮光部材の拡大正面図である。
【図８】図５に示すＶＩＩＩ−ＶＩＩＩに沿う概略拡大断面図である。
【図９】遮光部材の一部を示す拡大断面図である。
【図１０】遮光部材が撓められた状態を示す拡大正面図である。
【図１１】図１２及び図１３と共に遮光部材が可動枠に組み付けられる手順を示すものであり、本図は、遮光部材の遮光部が可動枠の係合突部に押し付けられた状態を示す拡大断面図である。
【図１２】遮光部が係合突部に乗り上げた状態を示す拡大断面図である。
【図１３】遮光部が係合突部を乗り越えて遮光部材が可動枠に組み付けられた状態を示す拡大断面図である。
【図１４】遮光部材によって不要な光が遮蔽される状態を示す拡大断面図である。
【図１５】遮光部材の別の例を示す拡大正面図である。
【図１６】撮像装置のブロック図である。
【符号の説明】
【０１７５】
１…撮像装置、３…レンズ鏡筒、５…撮像素子、９…駆動環、１０…移動環、１１…可動枠、１６…挿入孔、１６ａ…回転規制部、１９…遮光部材、２０…連結部、２１…遮光部、２１ｂ…スリット、２１ｃ…内側部、１９Ａ…遮光部材、３０ａ…光学系
【図１】
2013228484.tif 000003
【図２】
2013228484.tif 000004
【図３】
2013228484.tif 000005
【図４】
2013228484.tif 000006
【図５】
2013228484.tif 000007
【図６】
2013228484.tif 000008
【図７】
2013228484.tif 000009
【図８】
2013228484.tif 000010
【図９】
2013228484.tif 000011
【図１０】
2013228484.tif 000012
【図１１】
2013228484.tif 000013
【図１２】
2013228484.tif 000014
【図１３】
2013228484.tif 000015
【図１４】
2013228484.tif 000016
【図１５】
2013228484.tif 000017
【図１６】
2013228484.tif 000018